(57)【要約】【課題】  セキュリティ検査を、遠隔地に位置する複数の検査員とネットワークを介したシステムにより連携、遠隔集中監視する形態で、検査画像を時系列順に配信することによる課題がある。【解決手段】  画像配信システムを、複数の検査画像および第１の属性情報（３０１）を受信し、それぞれの検査端末に対応する複数の検査員に関する第２の属性情報（４０１）を記憶し、検査画像に基づいて、検査画面を生成し、第２の属性情報を読み込み、第２の属性情報から第１の属性情報に含まれる判断基準と同一の判断基準を持つ検査員がいる場合には、その検査員に対応する検査端末に検査画面を配信する（ステップ５０４）構成とする。【選択図】  図１
2018005432.tif 000002
【特許請求の範囲】
【請求項１】
それぞれが第１の属性情報を持つ複数のセキュリティ検査装置から、複数の検査画像および前記第１の属性情報を受信する通信部と、
前記複数の検査画像を検査する複数の検査端末について、それぞれの前記検査端末に対応する複数の検査員に関する第２の属性情報を記憶するメモリと、
ＣＰＵと、を具備するサーバを有し、
前記ＣＰＵは、
前記検査画像に基づいて、検査画面を生成し、対応する前記第１の属性情報を読み込む画像処理部と、
前記第２の属性情報を読み込み、前記第２の属性情報から前記第１の属性情報に含まれる判断基準と同一の判断基準を持つ前記検査員がいる場合には、その検査員に対応する前記検査端末に前記検査画面を配信する振分装置判定部と、を具備する画像配信システム。
【請求項２】
請求項１において、
前記同一の判断基準とは、前記第１の属性情報に含まれる施設の情報が前記第２の情報に含まれる担当施設の情報と一致するか、もしくは、前記第１の情報に含まれるベンダーの情報が前記第２の情報に含まれるベンダーの情報と一致するか、またはこれらの組み合わせである、画像配信システム。
【請求項３】
請求項１において、
前記振分装置判断部は、前記同一の基準を持つ前記検査員がいない場合は、ランダムに、前記検査端末に前記検査画像を配信する、画像配信システム。
【請求項４】
請求項１において、
前記検査画面は、形状認識されたものを示す形状判定抽出エリア、危険物が含まれている可能性がある重点監視エリア、対象物の材質量を表示する材質量表示部、形状から判定された対象物の情報を表示する形状情報表示部、または、前記第１の属性情報の少なくとも１つを表示する属性情報表示部を含む画像配信システム。
【請求項５】
請求項１において、
前記検査画面は、前記検査画像の判定結果を入力する検査判定部、および、前記判定の結果が不合格だった場合の理由を入力する判定理由入力部を含む画像配信システム。
【請求項６】
請求項１において、
前記複数の検査端末をさらに有する画像配信システム。
【請求項７】
請求項１において、
前記複数のセキュリティ検査装置をさらに有する画像配信システム。
【請求項８】
請求項１において、
前記セキュリティ検査装置は、Ｘ線検査装置、金属探知機、サーモグラフィー、または監視カメラである、画像配信システム。
【請求項９】
それぞれが第１の属性情報を持つ複数のセキュリティ検査装置から、複数の検査画像を受信する通信部と、
前記複数の検査画像を検査する複数の検査端末について、それぞれの前記検査端末に対応する複数の検査員に関する第２の属性情報を記憶するメモリと、
ＣＰＵと、を具備するサーバを有し、
前記ＣＰＵは、
前記検査画像に基づいて、検査画面を生成し、前記検査画像の難易度を判定する画像処理部と、
前記第２の属性情報を読み込み、前記第２の属性情報から前記検査画像の前記難易度よりも高いスキルレベルを持つ前記検査員がいる場合には、その検査員に対応する前記検査端末に前記検査画面を配信する振分装置判定部と、を具備する画像配信システム。
【請求項１０】
それぞれが第１の属性情報を持つ複数のセキュリティ検査装置から、複数の検査画像および前記第１の属性情報を受信する通信部と、
ＣＰＵと、を具備するサーバを有し、
前記ＣＰＵは、
前記検査画像に基づいて、検査画面を生成し、対応する前記第１の属性情報を読み込む画像処理部と、
前記複数の検査画像のうち、前記第１の属性情報に含まれる優先度が高い前記検査画像に対応する前記検査画面を、優先的に、前記検査画像を検査する前記検査端末に配信する振分装置判定部と、を具備する画像配信システム。
【発明の詳細な説明】
【技術分野】
【０００１】
本発明は、画像配信システムに関する。
【背景技術】
【０００２】
近年のセキュリティリスクの高まりに際し、セキュリティ検査の手段として各施設やイベントに参加する人の荷物をチェックしたり、入場者の保持する衣服に金属物などが含まれていないかを検索したりするための検査装置の導入が一般化している。
【０００３】
例えば特許文献１には、Ｘ線を用いた検査装置の一例が開示されている。また、特許文献２には、医療分野において地理的に離れた放射線検査を支援するためのシステムが開示されている。
【先行技術文献】
【特許文献】
【０００４】
【特許文献１】特開平第10-267867号
【特許文献２】特許第5490327号
【発明の概要】
【発明が解決しようとする課題】
【０００５】
特許文献２のような医療用の放射線検査においては、発生する検査の頻度も少なく、また患者、症状、医療従事者や放射線検査員などの専門性が求められる分野である。そのため、充分な時間を確保し、準備した上で、確実な医療を施すための対応が求められる事となる。
【０００６】
一方、特許文献１のような施設やイベント等の安全確保のためのセキュリティ検査においては、検査のスループットが重要な要素となり、入場の待ち時間を最小化する上でも、その場に搬入される様々な荷物に対し、検査員による即時かつ確実な検査結果判断が求められる。このため、全ての検査員に高い専門性が求められ、セキュリティ検査装置の設置される場所に立ち会う事が一般的であった。
【０００７】
係るセキュリティ検査を、遠隔地に位置する複数の検査員とネットワークを介したシステムにより連携、遠隔集中監視する形態では、セキュリティ検査装置から検査員が位置する検査端末に画像を配信することとなるが、時系列順に配信することにより、３つの課題がある。
【０００８】
１つ目は、複数のセキュリティ検査装置から取得される画像が時系列順に検査員へ配信されると、個々のセキュリティ検査装置において異なる検査基準で画像検査をすることになり、検査員の負荷が大きく検査の効率性及び精度が低下する課題がある。
【０００９】
２つ目は、検査員毎にスキルが異なり、セキュリティ検査に関する判断に要する時間に差異が発生する場合、時間を長く要する検査員に検査時間が律速され、全体としての検査速度の低下につながる課題がある。
【００１０】
３つ目は、複数施設におけるセキュリティ検査を実施する場合、セキュリティ検査において即時性・リアルタイム性が求められる施設の画像の検査が遅れ、該当施設における入退場手続での遅延が発生するという課題がある。
【課題を解決するための手段】
【００１１】
本願発明による課題を解決する手段のうち代表的なものを例示すれば、画像配信システムであって、それぞれが第１の属性情報を持つ複数のセキュリティ検査装置から、複数の検査画像および第１の属性情報を受信する通信部と、複数の検査画像を検査する複数の検査端末について、それぞれの検査端末に対応する複数の検査員に関する第２の属性情報を記憶するメモリと、ＣＰＵと、を具備するサーバを有し、ＣＰＵは、検査画像に基づいて、検査画面を生成し、対応する第１の属性情報を読み込む画像処理部と、第２の属性情報を読み込み、第２の属性情報から第１の属性情報に含まれる判断基準と同一の判断基準を持つ検査員がいる場合には、その検査員に対応する検査端末に検査画面を配信する振分装置判定部と、を具備する。
【００１２】
または、画像配信システムであって、それぞれが第１の属性情報を持つ複数のセキュリティ検査装置から、複数の検査画像を受信する通信部と、複数の検査画像を検査する複数の検査端末について、それぞれの検査端末に対応する複数の検査員に関する第２の属性情報を記憶するメモリと、ＣＰＵと、を具備するサーバを有し、ＣＰＵは、検査画像に基づいて、検査画面を生成し、検査画像の難易度を判定する画像処理部と、第２の属性情報を読み込み、第２の属性情報から検査画像の難易度よりも高いスキルレベルを持つ検査員がいる場合には、その検査員に対応する検査端末に検査画面を配信する振分装置判定部と、を具備する。
【００１３】
または、画像配信システムであって、それぞれが第１の属性情報を持つ複数のセキュリティ検査装置から、複数の検査画像および第１の属性情報を受信する通信部と、ＣＰＵと、を具備するサーバを有し、ＣＰＵは、検査画像に基づいて、検査画面を生成し、対応する第１の属性情報を読み込む画像処理部と、複数の検査画像のうち、第１の属性情報に含まれる優先度が高い検査画像に対応する検査画面を、優先的に、検査画像を検査する前記検査端末に配信する振分装置判定部と、を具備する。
【発明の効果】
【００１４】
本発明によれば、検査の効率性及び精度が向上する。または、検査速度の低下を抑止できる。または、検査における遅延を抑止できる。
【図面の簡単な説明】
【００１５】
【図１】本発明のシステム構成図である。
【図２】本発明のハードウェア構成を示すブロック図である。
【図３】本発明のセキュリティ検査装置１０１に関する属性情報の説明図である。
【図４】本発明の検査員に関する属性情報の説明図である。
【図５】実施例１に係る振分装置判断部２１３における同一判定基準の検査画面６０１を検査端末１０５へ配信する場合の処理フローである。
【図６】本発明の検査員が使用する検査画面の説明図である。
【図７】実施例２に係る振分装置判断部２１３における検査員のスキル情報と判定難易度に基づく場合の処理フローである。
【図８】実施例２に係る重点監視エリア６０４の数から検査画面６０１の難易度判定をする場合の説明図である。
【図９】実施例２に係る荷物の材質量６０５から検査画面６０１の難易度判定をする場合の説明図である。
【図１０】実施例３に係る振分装置判断部２１３における検査画面６０１の優先度６０８eに基づいた配信を行う場合の処理フローである。
【発明を実施するための形態】
【００１６】
以下、本発明の実施例を、図面を用いて説明する。
【実施例１】
【００１７】
本実施例は、遠隔集中監視センタ１０３に集約された検査画像を、判定基準などの振分基準に基づいて特定の検査員に配信するものである。
【００１８】
図１は、本発明の一実施例のシステム構成を示す図である。本発明のシステムは、複数のセキュリティ検査装置１０１、遠隔集中監視センサ１０３およびこれらを接続するネットワーク１０２を含む。遠隔集中監視センタ１０３は、複数の検査端末１０５と、セキュリティ検査装置１０１からネットワーク１０２を介して集まった検査画像を検査端末１０５に配信する監視システムサーバ１０４とを含む。具体的には、セキュリティ検査装置１０１は、Ｘ線検査装置でも金属探知機でも爆発物探知機でも監視カメラなどでも良い。
【００１９】
ネットワーク１０２は、それを介して、セキュリティ検査装置１０１から監視システムサーバ１０４にデータを転送できるものである限り、どのようなものであってもよい。例えば、ネットワーク１０２は、ＬＡＮであってもよいし、広域ネットワークであってもよいし、それらの組み合わせであってもよい。あるいは、ネットワーク１０２がＵＳＢ(Ｕｎｉｖｅｒｓａｌ  Ｓｅｒｉａｌ  Ｂｕｓ)のようなデータ伝送路であってもよい。
【００２０】
遠隔集中監視センタ１０３は、セキュリティ検査装置１０１から送られてくる検査画像を集中監視する。
【００２１】
監視システムサーバ１０４は、セキュリティ検査装置１０１から送られてくる検査画像の集約及び検査端末１０５への検査画面６０１の配信を行う。
【００２２】
検査端末１０５は、検査員が検査を実施するための検査画面６０１を表示するＰＣ(Ｐｅｒｓｏｎａｌ  Ｃｏｍｐｕｔｅｒ)である。
【００２３】
図２は、本発明のハードウェア構成を示すブロック図である。セキュリティ検査装置１０１は、検査対象物の画像を撮影する画像撮影部２０１と、ＣＰＵ（Ｃｅｎｔｒａｌ  Ｐｒｏｃｅｓｓｉｎｇ  Ｕｎｉｔ）２０２と、後述するセキュリティ検査装置１０１の属性情報３０１を入出力する入出力部２０５と、属性情報３０１を保存しておくメモリ２０３と、メモリに保存されたセキュリティ検査装置１０１の属性情報３０１と画像撮影部２０１で撮影された検査画像を含むデータを遠隔集中監視センタ１０３に送信する通信部２０４を備える。他の構成要素については後述する。
【００２４】
図３は、属性情報３０１の説明図である。属性情報３０１は、例えば、セキュリティ検査装置名３０２と、セキュリティ検査装置１０１が置かれている施設３０３と、セキュリティ検査装置１０１のベンダー３０４と、セキュリティ検査装置１０１の判定基準３０５と、セキュリティ検査装置１０１のレーン番号３０６と、セキュリティ検査装置１０１の機器の型番３０７と、セキュリティ検査装置１０１の検査の優先度合を示す優先度３０８を備える。但し、必ずしもこれらのすべてを含んでいなくても良く、これとは別の属性情報をさらに含んでも良い。
【００２５】
セキュリティ検査装置名３０２は、セキュリティ検査装置１０１の種類を示し、例えばＸ線検査装置、金属探知機、サーモグラフィー、監視カメラ等が該当する。
【００２６】
施設３０３は、セキュリティ検査装置１０１が設置されている場所を示し、具体的には空港、港、裁判所、データセンター等が該当する。
【００２７】
ベンダー３０４は、セキュリティ検査装置１０１の製造元を示す。
【００２８】
判定基準３０５は、後述する検査画面６０１の検査判定基準６０８ｄを示し、例えばペットボトルの持ち込み禁止を示す基準Ａとペットボトルの持ち込みを許可する基準Ｂがある。この判定基準３０５は、空港Ａではペットボトルの持ち込みが禁止されているため基準Ａであり、港Ａではペットボトルの持ち込みを禁止していないため基準Ｂであることを示している。
【００２９】
レーン番号３０６は、１つの施設にセキュリティ検査装置１０１が複数ある場合、レーン番号によってセキュリティ検査装置１０１を区別するために使用する。例えば、空港では同じ施設にＸ線検査装置が複数台設置されているのが一般的だが、レーン番号を管理することで、どのＸ線検査装置で手荷物に危険物が見つかったかを特定できる。
【００３０】
機器の型番３０７は、同じセキュリティ検査装置１０１であっても型番が異なると出力されるデータ仕様等に差異が発生する可能性に対応するために管理する。
【００３１】
優先度３０８は、セキュリティ検査装置１０１が設置されている場所のエリア特性により決定される。例えば、１日の来場者数の多さや、一般者より関係者が多い場所を優先するといった来場者の特性や、リアルタイムで処理が求められるような空港などの施設情報のいずれか１つもしくは複数の組み合わせから優先度３０８を決める。優先度３０８は、例えば三段階で評価し、優先度が高いものから順にレベル３、レベル２、レベル１とする。
【００３２】
さらに図２において、監視システムサーバ１０４は、ネットワーク１０２を介して送られたデータを、通信部２０６を介して受信し、メモリ２０８に格納する。また、後述する検査員に関する属性情報４０１を、入出力部２０７を介してメモリ２０８に保存する。ＣＰＵ２０９において、メモリ２０８に格納された検査画像と属性情報３０１から検査員が使用する検査画面６０１を作成する画像処理部２１０を起動する。画像処理部２１０は、検査画像と属性情報３０１を読み込み、該当荷物に含まれる金属量、有機物質量、ペットボトル等の水分包含物の分量等を材質量として算出する。また、ＣＰＵ２０９は、検査画面６０１を構成する上で必要となるデータを、処理結果読込部２１１において読み込み、検査画面６０１の判定難易度を判断する難易度判定部２１２を起動する。その結果をもとに、どの検査端末１０５にどの検査画面６０１を配信するか判定する振分装置判定部２１３を起動し、該当する検査端末１０５へ検査画面６０１を配信する配信部２１４を起動する事で、該当する検査端末１０５に対応する検査員にセキュリティ判定処理が割り振られる事となる。
【００３３】
また、検査端末１０５は、検査員が使用するＰＣであり、例えばディスプレイ２１５とＣＰＵ２１６とメモリ２１７を有する。ＣＰＵ２１６において、メモリ２１７に格納された検査画面６０１をディスプレイ２１５に表示する。
【００３４】
図４は、検査員に関する属性情報４０１の説明図である。属性情報４０１は、検査員の名前４０２と、検査員が使用する検査端末番号４０３と、検査員が検査を担当する担当施設名４０４と、検査員が担当するセキュリティ検査装置４０５と、セキュリティ検査装置のベンダー名４０６と、担当検査の判定基準４０７と、スキルレベル４０８とを含む。但し、必ずしもこれらのすべてを含んでいなくても良く、これとは別の属性情報をさらに含んでも良い。
【００３５】
具体的には、検査員の名前４０２は、担当検査員の名前を管理する。
【００３６】
検査端末番号４０３は、監視システムサーバ１０４が検査画面６０１を検査端末１０５へ配信する際に使用される。
【００３７】
担当施設名４０４は、検査員がどこの施設の検査画像を判定しているか管理する。
【００３８】
セキュリティ検査装置４０５は、検査員が担当するセキュリティ検査装置１０１の種類を管理する。
【００３９】
ベンダー４０６は、検査員が担当するセキュリティ検査装置１０１の製造元を示す。
【００４０】
判定基準４０７は、検査員がどの判定基準を用いて検査を実施しているかを管理する。
【００４１】
スキルレベル４０８は、検査画面６０１の処理速度、ミス件数、勤務年数または主に担当する画像種別等のうち少なくとも１つもしくは複数の組み合わせによってあらかじめ決定される。検査員のスキルレベルは、例えば三段階で評価し、スキルが高い検査員を３、平均的である検査員を２、検査に時間を要する検査員を１とする。
【００４２】
図５は、振分装置判定部２１３において、同一判定基準の検査画面６０１を、検査員へ配信する場合の処理フローである。まず、画像処理部２１０が後述する検査画面６０１を作成する(ステップ５０１)。具体的には、画像撮影部２０１が撮影した画像と属性情報３０１を通信部２０６が受信し、これを元に、画像処理部２１０が検査画面６０１を作成する。なお、検査画面６０１の詳細については後述する。
【００４３】
次に、処理結果読込部２１１が、ステップ５０１において作成された検査画面６０１を読み込む(ステップ５０２)。
【００４４】
次に、振分装置判定部２１３が、検査員の属性情報４０１を読み込む(ステップ５０３)。
【００４５】
次に、振分装置判定部が、検査画面６０１のセキュリティ検査装置１０１の属性情報表示部６０８と検査員の属性情報４０１が一致するかを判定する(ステップ５０４)。例えば、検査画面６０１の施設６０８ａと検査員の属性情報４０１の担当施設４０４が一致するか、検査画面６０１のセキュリティ検査装置６０８ｂと検査員の属性情報４０１のセキュリティ検査装置４０５が一致するか、検査画面６０１のベンダー６０８ｃと検査員の属性情報４０１のベンダー４０６が一致するか、もしくは、検査画面６０１の判定基準６０８ｄと検査員の属性情報４０１の判定基準４０７が一致するか、またはこれらの組み合わせで判定する。一致する場合は、検査端末番号４０３をもとに該当検査端末１０５へ検査画面６０１を配信する(ステップ５０５)。なお、複数の属性情報４０１を用いる場合には、一致する属性情報４０１のより多い検査端末１０５へ検査画面６０１を配信する方法や、全ての属性情報４０１が一致した検査端末１０５へ検査画面６０１を配信する方法を用いることができる。一致しない場合は、ランダムに検査員へ検査画面６０１を配信する(ステップ５０６)。
【００４６】
次に、配信された検査画面６０１が検査端末１０５のディスプレイ２１５に表示され、検査員は、検査画面６０１の検査を実施する（ステップ５０７）。ここで、対象施設６０８ａ・セキュリティ検査装置６０８ｂ・ベンダー６０８ｃ・判定基準６０８ｄ・優先度６０８eを含めた検査の基準となる情報が変更された場合は、検査画面６０１に基準が変更された旨のメッセージを示すメッセージ６０８fを表示し、検査員はメッセージ６０８fを確認したのち検査を実施しても良い。係る構成により、基準の変更を見落とすことによる検査ミスのリスクを低減することができる。
【００４７】
最後に、検査判定部６０７にて検査結果が合格か不合格かをボタンを押下し、現地の検査員へ検査結果を送信する。(ステップ５０８)。
【００４８】
ここで、図６は、検査員が使用する検査画面の説明図である。本実施例では、Ｘ線検査装置による検査画面６０１を表示した場合の説明図であるが、金属探知機、サーモグラフィーもしくは監視カメラ等の少なくとも１つ、または、これらの複数の組み合わせでも良い。検査画面６０１は、画像撮影部２０１が撮影したＸ線画像を表示する画像表示部６０２と、形状認識された検査対象物を示す形状判定抽出エリア６０３と、危険物が含まれている可能性があるエリアを示す重点監視エリア６０４と、検査対象物の材質量を表示する材質量表示部６０５と、検査対象物の形状を表示する形状情報表示部６０６と、荷物検査の判定する検査判定部６０７と、属性情報３０１を表示する属性情報表示部６０８と、検査員が危険物と判定した理由を入力する判定理由入力部６０９を備える。
【００４９】
具体的には、画像表示部６０２は、画像撮影部２０１が撮影した検査画像、例えばＸ線画像やサーモグラフィーや金属探知機の画像などを、画像撮影部２０１が撮影したカラーもしくは白黒の検査画像、または、セキュリティ検査装置１０１に画像撮影部２０１とは別の監視カメラが設けられている場合の、当該監視カメラの画像の少なくとも１つもしくは複数の組み合わせで表示する。
【００５０】
また、本実施例では持ち込まれるすべての手荷物から形状と材質量により安全な物であるかを自動判定する。自動判定できなかった荷物に対して、検査員が検査画面６０１の検査を実施する。
【００５１】
形状判定抽出エリア６０３は、安全と判断された形状を示したエリアである。具体的には、画像処理部２１０が、事前に入力された安全と判断できる形状と画像処理部２１０によって認識された形状を比較し、一致する場合は該当する形状を安全と判断する。例えば、財布として登録された四角い形状と、画像処理部２１０が認識した四角い形状が一致した場合、財布と判断し、形状判定抽出エリア６０３として破線で囲む。
【００５２】
一方、重点監視エリア６０４は、自動判定により確実に安全と判断されなかった荷物を実線で囲む。例えば、安全と判断されなかった刃物や拳銃を重点監視エリア６０４のように示す。
【００５３】
材質量表示部６０５は、検査対象物の材質量、例えば金属６０５ａや有機物６０５ｂの多さを表示する。図６のように画像表示部に複数の検査対象物が含まれている場合には、当該複数の検査対象物の総和で表示する。一般に、手荷物の材質量において金属や有機物が多いものは、危険物が含まれる可能性が高いとされているため、材質量表示部６０５に表示される情報は、検査員が危険物を判定する際に有用な情報となる。
【００５４】
形状情報表示部６０６は、形状から検査対象物は何かを判定した結果を表示する。
【００５５】
検査判定部６０７は、検査結果が合格か不合格のいずれかのボタンを押下することで、現地の検査員へ検査結果を送信する。
【００５６】
属性情報表示部６０８は、セキュリティ検査装置１０１が設置されている施設６０８ａ、ベンダー６０８c、判定基準６０８d、優先度６０８eなどの、属性情報３０１の少なくとも１つまたは複数の組み合わせを表示する。
【００５７】
判定理由入力部６０９は、検査員が検査結果を不合格とした理由、例えば持ち込み禁止荷物であるペットボトルや爆発物や刃物が検出されたことなどを入力する。この情報を現地検査員と共有する事により、現地での手荷物検査時間を短縮し、効率性を上げる。
【００５８】
このように、本実施例に係る画像配信システムは、それぞれが第１の属性情報（セキュリティ検査装置に関する属性情報３０１）を持つ複数のセキュリティ検査装置（１０１）から、複数の検査画像および第１の属性情報を受信する通信部と、複数の検査画像を検査する複数の検査端末（１０５）について、それぞれの検査端末に対応する複数の検査員に関する第２の属性情報（検査員に関する属性情報４０１）を記憶するメモリ（２０３）と、ＣＰＵ（２０２）と、を具備するサーバを有し、ＣＰＵは、検査画像に基づいて、検査画面を生成し、対応する第１の属性情報を読み込む画像処理部（２１０）と、第２の属性情報を読み込み、第２の属性情報から第１の属性情報に含まれる判断基準と同一の判断基準を持つ検査員がいる場合には、その検査員に対応する検査端末に検査画面を配信する（ステップ５０４）振分装置判定部（２１３）と、を具備する。
【００５９】
係る構成により、各検査員は、検査員に関する属性情報４０１の判断基準に従い画像検査を実施することが可能となるため、検査の効率性を向上しうる。また、検査員による基準認識漏れを防止することで、検査の精度を向上しうる。
【００６０】
なお、実施例では、検査画面６０１を遠隔集中監視センタ１０３、監視システムサーバ１０４における画像処理部２１０で算定する構成を取ったが、セキュリティ検査装置１０１内で処理する構成を取る事もできる。この場合、各セキュリティ検査装置１０１にＸ線画像解析処理を分散し搭載する事となり、監視システムサーバ１０４側の負荷を軽減する事が可能となる。
【００６１】
また、本実施例では検査端末１０５の検査員が不合格の際に、不合格条件を判定理由入力部６０９によって指定し、送信する構成を取ったが、セキュリティ検査装置１０１側に位置する検査員に対し電話回線などを用いて音声で伝える事も可能である。また、検査端末１０５側に検査画面６０１を表示する事も可能であるし、何の情報も開示しない（該当の手荷物を目視により確認するよう指示する）構成を取る事も可能である。
【００６２】
さらに、検査員に関する属性情報４０１では、検査員の名前４０２、検査端末番号４０３、担当施設名４０４、セキュリティ検査装置４０５、ベンダー４０６、判定基準４０７およびスキルレベル４０８に関する情報を管理したが、検査員の在席/離席、他荷物の検査中/検査待ち、勤務シフトなどの情報を管理することも可能である。これにより、離席中の検査員への配信を抑止したり、検査負荷の平準化を実現したりすることが可能である。
【００６３】
加えて、本実施例では主にＸ線検査装置を用いたセキュリティ検査について記載をした。ただし、本構成はサーモグラフィー、金属探知、爆発物探知、その他のセキュリティ検査機器に対して適用可能であり、例えば発熱等を伴う傷病が流行する地域でのセキュリティ検査、該当地域から発着する飛行機からの乗客に対するセキュリティ検査において、施設、機器、該当機器で取得される情報などを用いて遠隔で検査を実施する検査員に対し、検査支援情報を提供することが可能である。
【００６４】
また、本実施例では検査員が使用する検査画面６０１としてセキュリティ検査装置に関する属性情報３０１を主に提示する方法について記載をした。これに対し、検査対象物そのものの映像情報、検査対象物を保持する人物に関する映像、年齢、性別、国籍等の属性情報を提示することで、セキュリティ検査を実施する検査員の作業を遠隔で支援する構成をとることで、より多面的な情報を用いた検査支援が可能となる。
【００６５】
さらに、本実施例では、形状判定抽出エリア６０３として、事前に入力された安全と判断できる形状を破線で囲む方法について記載をした。これに対し、ＡＩなどによる機械学習を用いた形状認識を用いることで安全と判断できる形状のパターンを増やし、形状判定抽出エリア６０３で抽出可能な形状を増やす構成をとることで、より検査支援の高度化が可能となる。
【実施例２】
【００６６】
本実施例は、遠隔集中監視センタ１０３に集約された検査画像を判定の難易度別に検査員の判定スキルを考慮して配信するものである。
【００６７】
図７は、難易度判定部２１２における判定が、検査員の属性情報４０１と画像検査難易度に基づく場合の処理フローである。
【００６８】
前述したステップ５０１およびステップ５０２の次に、難易度判定部２１２が検査画面６０１の難易度を判定する(ステップ７０１)。難易度の判定は、例えば、重点監視エリア６０４の数を判定基準にする方法、荷物の材質量を用いる方法、または、これらの組み合わせを用いることができる。これらの具体的な方法は、図８および図９で説明する。
【００６９】
次に、振分装置判定部２１３が、検査員の属性情報４０１のスキルレベルおよび検査画面６０１の検査の難易度を読み込む(ステップ７０２)。
【００７０】
次に、検査画面６０１の難易度と検査員のスキルレベルから、振分装置判定部２１３が誰にどの検査画面６０１を配信するか判定する(ステップ７０３)。例えば、検査画面６０１の難易度判定を三段階で評価し、難易度が最も高いものを３、平均的なものを２、低いものを１とする。同様に検査員のスキルレベルを高いものから順に三段階で評価する。具体例としては、検査画面６０１の難易度が３である場合は、スキルレベルが３である検査員へ配信する(ステップ７０４)。検査画面６０１の難易度が２である場合は、スキルレベルが２以上である検査員へ配信する、或いは、検査画面６０１の難易度が１である場合は、スキルレベルが１以上である検査員へ配信する(ステップ７０５)。その後のステップ５０７およびステップ５０８は、図５と同様である。
【００７１】
図８は、検査画面６０１の画像表示部６０２における重点監視エリア６０４の数から検査画面難易度判定をする場合の説明図である。
【００７２】
画像表示部８０１に表示された画像には、重点監視エリア６０４が３つ（８０１ａ〜８０１ｃ）存在する。一方画像表示部８０２に表示された画像には、重点監視エリア６０４が１つ（８０２ａ）存在する。１画像において重点監視エリア６０４の数が多い検査画面６０１は、荷物が危険物であるかを判断する回数が多く、限られた時間で正確な判断を下すことが難しいと考えられるため、重点監視エリア６０４の数が多い検査画面８０１は検査の難易度が高いと判定し、重点監視エリア６０４の数が少ない検査画面８０２は検査の難易度が低いと判定する。
【００７３】
図９は、検査画面６０１の材質量表示部６０５から検査画面難易度判定をする場合の説明図である。
【００７４】
材質量表示部９０１は、金属９０２や有機物９０３を含む量が多いと判定された場合を示す。一方、材質量表示部９０４は、金属９０５や有機物９０６を含む量が少ないと判定された場合を示す。一般に、手荷物の材質量において金属や有機物が多いものは、危険物が含まれる可能性が高いとされていることから、金属９０２や有機物９０３の量が多い材質量表示部９０１の検査画面６０１を、難易度が高いと判定する。また、金属９０５や有機物９０６の量が少ない材質量表示部９０４の検査画面６０１を、難易度が低いと判定する。
【００７５】
このように、本実施例に係る画像配信システムは、それぞれが第１の属性情報を持つ複数のセキュリティ検査装置から、複数の検査画像を受信する通信部と、複数の検査画像を検査する複数の検査端末について、それぞれの検査端末に対応する複数の検査員に関する第２の属性情報を記憶するメモリと、ＣＰＵと、を具備するサーバを有し、ＣＰＵは、検査画像に基づいて、検査画面を生成し、検査画像の難易度を判定する画像処理部と、第２の属性情報を読み込み、第２の属性情報から検査画像の難易度よりも高いスキルレベルを持つ前記検査員がいる場合には、その検査員に対応する検査端末に検査画面を配信する（ステップ７０３）振分装置判定部と、を具備する。
【００７６】
係る構成により、スキルの低い検査員に検査の難しい検査画像が割り振られることが少なくなるため、当該検査員が当該検査画像を検査することによる検査速度の低下を抑止できる。
【実施例３】
【００７７】
本実施例は、振分装置判断部２１３における検査画面６０１の優先度に基づいた配信方法である。
【００７８】
図１０は、振分装置判断部２１３における検査画面６０１の優先度に基づいた配信を行う場合の処理フローである。
【００７９】
前述したステップ５０１およびステップ５０２の次に、振分装置判定部２１３が、検査画面６０１の優先度６０８eを読込む。(ステップ１００１)。
【００８０】
次に、振分装置判定部２１３が、検査画面６０１の優先度判定を行う(ステップ１００２)。具体的には、優先度レベル３の検査画面６０１と優先度レベル１の検査画面６０１がある場合、優先度レベル３の検査画面６０１を検査端末１０５へ優先的に配信する(ステップ１００３)。優先度レベル１の検査画面６０１は、その後検査端末１０５へ配信する(ステップ１００４)。その後のステップ５０７およびステップ５０８は、図５と同様である。
【００８１】
このように、本実施例に係る画像配信システムは、それぞれが第１の属性情報を持つ複数のセキュリティ検査装置から、複数の検査画像および第１の属性情報を受信する通信部と、ＣＰＵと、を具備するサーバを有し、ＣＰＵは、検査画像に基づいて、検査画面を生成し、対応する前記第１の属性情報を読み込む画像処理部と、複数の検査画像のうち、第１の属性情報に含まれる優先度が高い検査画像に対応する検査画面を、優先的に、検査画像を検査する検査端末に配信する（ステップ１００２）振分装置判定部と、を具備する。
【００８２】
係る構成により、検査完了までの優先度が高い検査画像の検査を迅速に行うことが可能となり、検査における遅延を抑止できる。
【符号の説明】
【００８３】
１０１：セキュリティ検査装置、１０２：ネットワーク、１０３：遠隔集中監視センタ、１０４：監視システムサーバ、１０５：検査端末、２０１：画像撮影部、２０２：ＣＰＵ、２０３：メモリ、２０４：通信部、２０５：入出力部、２０６：通信部、２０７：入出力部、２０８：メモリ、２０９：ＣＰＵ、２１０：画像処理部、２１１：処理結果読込部、２１２：難易度判定部、２１３：振分装置判定部、２１４：配信部、２１５：ディスプレイ、２１６：ＣＰＵ、２１７：メモリ、３０１：セキュリティ検査装置に関する属性情報、３０２：セキュリティ検査装置名、３０３：施設、３０４：ベンダー、３０５：判定基準、３０６：レーン番号、３０７：機器の型番、３０８：優先度、４０１：検査員に関する属性情報、４０２：検査員の名前、４０３：検査端末番号、４０４：担当施設名、４０５：セキュリティ検査装置、４０６：ベンダー、４０７：判定基準、４０８：スキルレベル、５０１、５０２、５０３、５０４、５０５、５０６、５０７、５０８、７０１、７０２、７０３、７０４、７０５、１００１、１００２、１００３、１００４：ステップ、６０１：検査画面、６０２、８０１、８０２：画像表示部、６０３：形状判定抽出エリア、６０４、８０１ａ〜ｃ、８０２ａ：重点監視エリア、６０５、９０１、９０４：材質量表示部、６０５ａ、９０２、９０５：金属、６０５ｂ、９０３、９０６：有機物、６０６：形状情報表示部、６０７：検査判定部、６０８：属性情報表示部、６０８ａ：施設、６０８ｂ：セキュリティ検査装置、６０８ｃ：ベンダー、６０８ｄ：判定基準、６０８e：優先度、６０８ｆ：メッセージ、６０９：判定理由入力部。
【図１】
2018005432.tif 000003
【図２】
2018005432.tif 000004
【図３】
2018005432.tif 000005
【図４】
2018005432.tif 000006
【図５】
2018005432.tif 000007
【図６】
2018005432.tif 000008
【図７】
2018005432.tif 000009
【図８】
2018005432.tif 000010
【図９】
2018005432.tif 000011
【図１０】
2018005432.tif 000012